(57)【要約】【課題】可変抵抗で制御電圧を作る定電流源の制御電流を調整可能にし、出力電流を指示する信号の電源電圧依存性をなくす。【解決手段】基準電圧回路６１は、電源電圧ＶＣＣが所定の値以上で一定値、所定の値を下回ると電源電圧ＶＣＣに比例した値の電圧を基準電圧Ｖｒｅｆとして出力する。バイアス電流回路６２は、基準電圧Ｖｒｅｆをバイアス電流Ｉｒｓに変換して出力する。バイアス電流Ｉｒｓは、外付けの定電流値設定抵抗３２に供給され、その抵抗値に応じた電圧Ｖｒｓを生成する。電圧Ｖｒｓは、制御電流回路６３によって制御電流Ｉｃｏｎｔに変換され、調光入力端子Ｄｉｍに接続された調光用の可変抵抗に供給されて制御電圧Ｖｃｏｎｔとなる。ＡＤコンバータ６４は、電源電圧ＶＣＣが低下した場合、基準電圧Ｖｒｅｆと制御電圧Ｖｃｏｎｔとが同じ比率で変化するため、出力電流を指示するＡＤコンバータ６４の出力信号の電源電圧依存性がない。【選択図】図２
2019033028.tif 000002
【特許請求の範囲】
【請求項１】
電源電圧が所定の値以上で一定値、前記電源電圧が前記所定の値を下回ると前記電源電圧に比例した値の基準電圧を出力する基準電圧回路と、
前記基準電圧をバイアス電流に変換するバイアス電流回路と、
前記バイアス電流を外付けの抵抗に供給することによって生成される電圧を制御電流に変換する制御電流回路と、
前記基準電圧を受けて前記制御電流を外付けの可変抵抗に供給することによって生成される制御電圧をデジタル信号に変換するＡＤコンバータと、
前記デジタル信号から前記可変抵抗の調整比率に対応するデューティ比を有するデューティ比信号を作成する出力信号作成回路と、
第１の定電流を出力する第１の定電流源と、
前記第１の定電流源に接続され、前記デューティ比信号によりオン・オフするスイッチと、
を備えた調光装置。
【請求項２】
前記基準電圧回路は、一方の端子に前記電源電圧が印加される第１の抵抗と、カソードが前記第１の抵抗の他方の端子に接続され、アノードがグランドに接続され、ツェナー電圧が前記所定の値となるツェナーダイオードと、入力端子が前記第１の抵抗と前記ツェナーダイオードのカソードとの接続点に接続されたボルテージフォロア回路とを有する、請求項１記載の調光装置。
【請求項３】
前記バイアス電流回路は、非反転入力端子に前記基準電圧が印加されるオペアンプと、ゲートに前記オペアンプの出力が接続された第１のトランジスタと、一方の端子に前記第１のトランジスタのソースおよび前記オペアンプの反転入力端子が接続され、他方の端子がグランドに接続された第２の抵抗と、ドレインおよびゲートが前記第１のトランジスタのドレインに接続され、ソースに前記電源電圧が印加される第２のトランジスタと、ゲートが前記第２のトランジスタのゲートに接続され、ソースに前記電源電圧が印加され、ドレインから前記バイアス電流が出力される第３のトランジスタとを有する、請求項１記載の調光装置。
【請求項４】
前記出力信号作成回路は、前記デューティ比信号の第１の周波数より高い第２の周波数のクロック信号を受けてカウントし、前記第１の周波数の信号によりリセットされるカウンタと、前記カウンタのカウント値と前記デジタル信号の値とを比較し、前記カウンタのカウント値と前記デジタル信号の値とが一致したとき、一致信号を出力するデータ一致回路と、前記第１の周波数の信号を受けてセットされ、前記一致信号を受けてリセットされることにより前記デューティ比信号を出力するフリップフロップと、を有する、請求項１記載の調光装置。
【請求項５】
第２の定電流を出力して前記制御電流に加える第２の定電流源をさらに備えた、請求項１記載の調光装置。
【請求項６】
トランスと、
前記トランスの一次巻線と直列に接続され、両端には直流電圧が印加されるスイッチング素子と、
前記スイッチング素子のスイッチングを制御する電源制御回路と、
前記トランスの二次巻線に接続された整流平滑回路と、
前記整流平滑回路から出力される電圧および電流を検出して前記電源制御回路にフィードバックする電圧エラーアンプおよび電流エラーアンプを有するフィードバック回路と、
前記電圧エラーアンプまたは前記電流エラーアンプの可変の基準電圧源を設定する調光装置とを備え、
前記調光装置は、
前記トランスの補助巻線から作られた電源電圧が所定の値以上で一定値、前記電源電圧が前記所定の値を下回ると前記電源電圧に比例した値の基準電圧を出力する基準電圧回路と、
前記基準電圧をバイアス電流に変換するバイアス電流回路と、
前記バイアス電流が供給される外付けの抵抗と、
前記バイアス電流が供給されることにより前記外付けの抵抗に生じる電圧を制御電流に変換して出力する制御電流回路と、
前記制御電流が供給されることにより可変の制御電圧を生じさせる外付けの可変抵抗と、
前記基準電圧に基づいて前記制御電圧をデジタル信号に変換するＡＤコンバータと、
前記デジタル信号から前記可変抵抗の調整比率に対応するデューティ比を有するデューティ比信号を作成する出力信号作成回路と、
定電流を出力する定電流源と、
前記定電流源に接続され、前記デューティ比信号によりオン・オフすることにより、前記電圧エラーアンプまたは前記電流エラーアンプの可変の基準電圧源に前記可変抵抗の調整比率に対応する信号を設定する設定信号を出力するスイッチと、
を有する、電力変換装置。
【発明の詳細な説明】
【技術分野】
【０００１】
本発明は調光装置および電力変換装置に関し、特に負荷として接続された照明器具の光量を外部制御信号により調節する調光装置およびこの調光装置を備えた電力変換装置に関する。
【背景技術】
【０００２】
ＬＥＤ（Light Emitting Diode）照明器具または白熱灯照明器具は、その光量を調節する場合、照明器具に印加される電流または電圧を調整する調光装置を備えた電力変換装置が用いられている。
【０００３】
図８はＬＥＤ照明器具を制御する従来の電力変換装置の構成例を示す回路図である。図９は調光装置の特性を示す図であって、（Ａ）は電源電圧に対する制御電圧の変化を示す図、（Ｂ）は電源電圧に対する基準電圧の変化を示す図、（Ｃ）は電源電圧に対するデューティ比の変化を示す図である。
【０００４】
図示の電力変換装置は、整流回路１０１と、力率改善（ＰＦＣ：Power Factor Correction）回路１０２と、ＤＣ−ＤＣコンバータ１０３と、調光装置１０４とを備え、ＤＣ−ＤＣコンバータ１０３の出力端子には、ＬＥＤ照明器具１０５が接続されている。この電力変換装置によれば、整流回路１０１が商用電源の交流電圧を整流し、力率改善回路１０２が昇圧した直流電圧を出力する。この直流電圧は、ＤＣ−ＤＣコンバータ１０３によって所望の値の直流電圧に変換される。
【０００５】
ＤＣ−ＤＣコンバータ１０３は、フライバック方式のスイッチング電源回路であって、スイッチング素子１１１と、トランス１１２と、電源制御ＩＣ（Integrated Circuit）１１３と、整流平滑回路１１４と、フィードバック回路１１５とを有している。このＤＣ−ＤＣコンバータ１０３は、スイッチング素子１１１のオン期間中にトランス１１２に電力を蓄え、スイッチング素子１１１がオフに切り換わると、トランス１１２の逆起電力を利用して蓄えられていた電力をトランス１１２の二次側に出力する。このとき、フィードバック回路１１５では、整流平滑回路１１４によって出力された直流出力電圧を電圧エラーアンプＡｍｐ１が検出する。また、フィードバック回路１１５では、ＬＥＤ照明器具１０５へ供給される出力電流を電流エラーアンプＡｍｐ２が検出する。電圧エラーアンプＡｍｐ１および電流エラーアンプＡｍｐ２が出力する誤差信号は、フォトカプラＰＣを介して電源制御ＩＣ１１３にフィードバックされ、電源制御ＩＣ１１３は、誤差信号が０になる方向にスイッチング素子１１１のスイッチングを制御する。
【０００６】
ＤＣ−ＤＣコンバータ１０３が出力する出力電流は、調光装置１０４によって設定される。調光装置１０４は、定電流源１２１と、ＡＤ（Analog-to-Digital）コンバータ１２２と、基準電圧源１２３と、出力信号作成回路１２４と、定電流源１２５と、スイッチ１２６とを有している。定電流源１２１は、トランス１１２の補助巻線１２７および整流平滑回路１２８によって生成された電源電圧ＶＣＣから定電流の制御電流Ｉｃｏｎｔを生成する。定電流源１２１が出力する制御電流Ｉｃｏｎｔは、調光装置１０４の制御端子Ｃｏｎｔを介してコンデンサ１２９に供給されるとともに、ダイオード１３０を介して調光入力端子Ｄｉｍに供給される。この調光入力端子Ｄｉｍには、外部制御信号Ｃｏｎｔ−ｓｉｇとして可変の直流（ＤＣ）電圧が入力されるか、もしくは可変抵抗が接続される。ＤＣ電圧の外部制御信号Ｃｏｎｔ−ｓｉｇが入力される場合、調光装置１０４の制御端子Ｃｏｎｔには、入力されたＤＣ電圧にダイオード１３０の順方向電圧を加えた制御電圧Ｖｃｏｎｔが現れる。調光入力端子Ｄｉｍに可変抵抗が接続された場合、可変抵抗には、定電流源１２１の制御電流Ｉｃｏｎｔが流れる。これにより、可変抵抗の両端には、可変抵抗の抵抗値に応じた電圧が生起される。したがって、調光装置１０４の制御端子Ｃｏｎｔには、可変抵抗の両端の電圧にダイオード１３０の順方向電圧を加えた値の制御電圧Ｖｃｏｎｔが現れる。ここで、制御電圧Ｖｃｏｎｔは、図９（Ａ）に示したように、定電流源１２１の制御電流Ｉｃｏｎｔが一定であるので、電源電圧ＶＣＣが大きく低下しない限り一定であり、変化しない。
【０００７】
調光装置１０４の制御端子Ｃｏｎｔに現れるアナログの制御電圧Ｖｃｏｎｔは、ＡＤコンバータ１２２にて基準電圧源１２３の基準電圧Ｖｒｅｆを基にデジタルの信号に変換される。なお、ＡＤコンバータ１２２に入力される制御電圧Ｖｃｏｎｔは、ＡＤコンバータ１２２内で分圧され、当該分圧値が基準電圧Ｖｒｅｆと比較されることがある。これは、基準電圧Ｖｒｅｆが小さく、制御電圧Ｖｃｏｎｔの許容入力電圧範囲が狭いと制御電圧Ｖｃｏｎｔを精密に設定する必要が生じるからであり、制御電圧Ｖｃｏｎｔの入力電圧範囲が広くできるよう分圧回路を設けている。そのため、制御電圧Ｖｃｏｎｔの許容入力電圧の最大値は、基準電圧Ｖｒｅｆよりかなり大きくなる。
【０００８】
ここで、基準電圧源１２３は、ツェナーダイオードを用いて基準電圧Ｖｒｅｆを調光装置１０４の電源電圧ＶＣＣから生成している。基準電圧Ｖｒｅｆは、電源電圧ＶＣＣの変動の影響を受けないよう一般に電源電圧ＶＣＣよりも十分に小さな値に設定し、図９（Ｂ）に示したように、電源電圧ＶＣＣが大きく低下しない限り一定である。それでも、電源電圧ＶＣＣの変動の影響を受けて電源電圧ＶＣＣがツェナーダイオードのツェナー電圧よりも低下する場合には、それを回避する方法が知られている（たとえば、特許文献１参照）。この特許文献１によれば、電源電圧がツェナーダイオードのツェナー電圧よりも低下すると、基準電圧発生回路の低電圧側の分圧抵抗に補充電流を流し込むようにしている。これにより、低電圧側の分圧抵抗の電圧が補充電流による電圧降下の分だけ嵩上げされ、基準電圧の低下が抑制される。
【０００９】
ＡＤコンバータ１２２の出力信号は、出力信号作成回路１２４に入力され、制御端子Ｃｏｎｔの制御電圧Ｖｃｏｎｔの値に応じたデューティ比を持つＰＷＭ（Pulse Width Modulation）信号に変換される。スイッチ１２６は、出力信号作成回路１２４のＰＷＭ信号によりオン・オフ制御され、定電流源１２５が出力する定電流Ｉｏｕｔをパルス幅変調してフィードバック回路１１５に供給する。このとき、制御端子Ｃｏｎｔの制御電圧Ｖｃｏｎｔおよびデューティ比は、図９（Ｃ）に示したように、制御電圧Ｖｃｏｎｔが高いとデューティ比が大きく、制御電圧Ｖｃｏｎｔが低いとデューティ比が小さい関係を有している。しかも、電源電圧ＶＣＣが低下していくと、デューティ比を一定に保つことができる範囲は、制御電圧Ｖｃｏｎｔが高くなるほど狭くなっている。
【００１０】
フィードバック回路１１５では、パルス幅変調された定電流Ｉｏｕｔは、フォトカプラおよびローパスフィルタを介して電流エラーアンプＡｍｐ２の基準信号を入力する非反転入力端子（＋）に供給される。これにより、電流エラーアンプＡｍｐ２の基準信号は、可変のＤＣ電圧または可変抵抗によって設定された制御電圧Ｖｃｏｎｔに応じた電圧値に設定されることになる。この結果、ＬＥＤ照明器具１０５に供給される出力電流は、電源制御ＩＣ１１３によって制御電圧Ｖｃｏｎｔに応じた電流に制御され、ＬＥＤ照明器具１０５は、制御電圧Ｖｃｏｎｔに対応する明るさに調節される。
【先行技術文献】
【特許文献】
【００１１】
【特許文献１】特開２０１０−２０４８１号公報
【発明の概要】
【発明が解決しようとする課題】
【００１２】
従来の電力変換装置では、外部制御信号Ｃｏｎｔ−ｓｉｇとして可変抵抗が接続される場合、制御電圧Ｖｃｏｎｔは、可変抵抗に制御電流Ｉｃｏｎｔを流すことによって生成している。この場合、可変抵抗の値が最大のとき、ＬＥＤ照明器具１０５の明るさが１００％に調光できるのが望ましい。しかし、可変抵抗の値が小さい場合、可変抵抗の値を最大にしても、ＬＥＤ照明器具１０５の明るさを１００％に調光することができなくなる。逆に、可変抵抗の値が大きい場合、可変抵抗の値を最大に調整する前にＬＥＤ照明器具１０５の明るさが１００％に達してしまう、という問題点がある。
【００１３】
また、定電流源１２１の制御電流Ｉｃｏｎｔは、調光装置１０４の電源電圧ＶＣＣに依存して変化する特性を有している。たとえば、可変抵抗の値を小さくしてＬＥＤ照明器具１０５の明るさを暗く設定する場合、ＤＣ−ＤＣコンバータ１０３は、ＬＥＤ照明器具１０５に供給する出力電流を低減するよう制御される。このとき、トランス１１２の補助巻線１２７に送られる電流も同様に低減されるので、電源電圧ＶＣＣも低減される。
【００１４】
電源電圧ＶＣＣが低下して制御電圧Ｖｃｏｎｔ以下になると、定電流源１２１に昇圧機能はないので、制御電圧Ｖｃｏｎｔは電源電圧ＶＣＣ以上にはなれず、制御電圧Ｖｃｏｎｔは電源電圧ＶＣＣとともに低下する。すると、出力信号作成回路１２４が出力するデューティ比は、本来のデューティ比よりも小さくなってしまう、すなわち、出力電流が低下して照明器具の光量が設定されたものより小さくなってしまうという問題点がある。
【００１５】
本発明はこのような点に鑑みてなされたものであり、電源電圧ＶＣＣの低下による出力電流の低下を抑制することのできる調光装置および電力変換装置を提供することを目的とする。
【課題を解決するための手段】
【００１６】
本発明では、上記の課題を解決するために、基準電圧回路と、バイアス電流回路と、制御電流回路と、ＡＤコンバータと、出力信号作成回路と、定電流源と、スイッチとを備えた調光装置が提供される。この調光装置によれば、基準電圧回路は、電源電圧が所定の値以上で一定値、電源電圧が所定の値を下回ると電源電圧に比例した値の基準電圧を出力する。バイアス電流回路は、基準電圧をバイアス電流に変換する。制御電流回路は、バイアス電流を外付けの抵抗に供給することによって生成される電圧を制御電流に変換する。ＡＤコンバータは、基準電圧を受けて制御電流を外付けの可変抵抗に供給することによって生成される制御電圧をデジタル信号に変換する。出力信号作成回路は、デジタル信号から可変抵抗の調整比率に対応するデューティ比を有するデューティ比信号を作成する。定電流源は、定電流を出力する。そして、スイッチは、定電流源に接続され、デューティ比信号によりオン・オフする。
【００１７】
また、本発明は、トランスと、トランスの一次巻線と直列に接続され、両端には直流電圧が印加されるスイッチング素子と、スイッチング素子のスイッチングを制御する電源制御回路と、トランスの二次巻線に接続された整流平滑回路と、整流平滑回路から出力される電圧および電流を検出して電源制御回路にフィードバックする電圧エラーアンプおよび電流エラーアンプを有するフィードバック回路と、電圧エラーアンプまたは電流エラーアンプの可変の基準電圧源を設定する調光装置とを備えた電力変換装置が提供される。この電力変換装置によれば、調光装置は、トランスの補助巻線から作られた電源電圧が所定の値以上で一定値、電源電圧が所定の値を下回ると電源電圧に比例した値の基準電圧を出力する基準電圧回路と、基準電圧をバイアス電流に変換するバイアス電流回路と、バイアス電流が供給される外付けの抵抗と、バイアス電流が供給されることにより外付けの抵抗に生じる電圧を制御電流に変換して出力する制御電流回路と、制御電流が供給されることにより可変の制御電圧を生じさせる外付けの可変抵抗と、基準電圧に基づいて制御電圧をデジタル信号に変換するＡＤコンバータと、デジタル信号から可変抵抗の調整比率に対応するデューティ比を有するデューティ比信号を作成する出力信号作成回路と、定電流を出力する定電流源と、定電流源に接続され、デューティ比信号によりオン・オフすることにより、電圧エラーアンプまたは電流エラーアンプの可変の基準電圧源に可変抵抗の調整比率に対応する信号を設定する設定信号を出力するスイッチと、を有している。
【発明の効果】
【００１８】
上記構成の調光装置および電力変換装置は、外付けの抵抗によって生成される電圧降下を制御電流に変換する制御電流回路を備えていることで、可変抵抗に供給する制御電流の値を外付けの抵抗の抵抗値を変えることで任意に変更することができる。また、電源電圧が所定の値以上で一定値、電源電圧が所定の値を下回ると電源電圧に比例した値の基準電圧を出力する基準電圧回路を備えたことで、出力電流の電源電圧依存性を抑制することができるという利点がある。
【図面の簡単な説明】
【００１９】
【図１】本発明の実施の形態に係る電力変換装置の構成例を示す回路図である。
【図２】電力変換装置のフィードバック回路および調光装置の構成例を示す回路図である。
【図３】調光装置の基準電圧回路の構成例を示す回路図である。
【図４】調光装置のバイアス電流回路の構成例を示す回路図である。
【図５】調光装置のＡＤコンバータを示す図である。
【図６】調光装置の出力信号作成回路の構成例を示す回路図である。
【図７】調光装置の特性を示す図であって、（Ａ）は電源電圧に対する制御電圧の変化を示す図、（Ｂ）は電源電圧に対する基準電圧の変化を示す図、（Ｃ）は電源電圧に対するデューティ比の変化を示す図である。
【図８】ＬＥＤ照明器具を制御する従来の電力変換装置の構成例を示す回路図である。
【図９】調光装置の特性を示す図であって、（Ａ）は電源電圧に対する制御電圧の変化を示す図、（Ｂ）は電源電圧に対する基準電圧の変化を示す図、（Ｃ）は電源電圧に対するデューティ比の変化を示す図である。
【発明を実施するための形態】
【００２０】
以下、本発明の実施の形態について、本発明をＬＥＤ照明器具のための電力変換装置に適用した場合を例に図面を参照して詳細に説明する。なお、以下の説明において、端子名とその端子における電圧、信号などは、同じ符号を用いることがある。
【００２１】
図１は本発明の実施の形態に係る電力変換装置の構成例を示す回路図、図２は電力変換装置のフィードバック回路および調光装置の構成例を示す回路図である。図３は調光装置の基準電圧回路の構成例を示す回路図、図４は調光装置のバイアス電流回路の構成例を示す回路図、図５は調光装置のＡＤコンバータを示す図、図６は調光装置の出力信号作成回路の構成例を示す回路図である。図７は調光装置の特性を示す図であって、（Ａ）は電源電圧に対する制御電圧の変化を示す図、（Ｂ）は電源電圧に対する基準電圧の変化を示す図、（Ｃ）は電源電圧に対するデューティ比の変化を示す図である。
【００２２】
電力変換装置は、図１に示したように、商用の交流電源に接続される交流入力端子１１を有し、この交流入力端子１１には、ノイズフィルタを構成するチョークコイル１２、Ｘコンデンサ１３およびチョークコイル１４が接続されている。チョークコイル１４には、ノイズフィルタを通った交流電圧を全波整流するダイオードブリッジ１５が接続されている。
【００２３】
ダイオードブリッジ１５には、力率改善回路１６が接続されている。力率改善回路１６は、スイッチング動作において、誘導負荷または容量負荷が接続されることにより電圧位相に対して電流位相がずれてくる場合に低下してしまう力率を改善するものである。この力率改善回路１６は、ダイオードブリッジ１５から出力される整流電圧を昇圧整流することで、高圧で一定の直流電圧を出力する。
【００２４】
力率改善回路１６の出力には、スイッチング動作を行う回路に安定したエネルギを供給するとともにスイッチング動作によるスイッチングノイズを低減するコンデンサ１７が接続されている。コンデンサ１７には、トランス１８の一次巻線１８ａとスイッチング素子１９と電流検出抵抗２０との直列回路が並列に接続されている。スイッチング素子１９は、ここでは、ＭＯＳＦＥＴ（Metal Oxide Semiconductor Field Effect Transistor、以下、ＭＯＳトランジスタという）を用いている。
【００２５】
トランス１８の二次巻線１８ｂには、ダイオード２１およびコンデンサ２２からなる整流平滑回路が接続され、コンデンサ２２の両端の端子は、フィードバック回路２３を介して直流出力端子２４に接続されている。この直流出力端子２４には、ＬＥＤ照明器具とする負荷２５が接続される。
【００２６】
トランス１８は、また、その二次側に補助巻線１８ｃを有し、この補助巻線１８ｃには、ダイオード２６、抵抗２７およびコンデンサ２８からなる整流平滑回路が接続されている。コンデンサ２８の両端の端子は、調光装置２９に接続され、調光装置２９の入力には、コンデンサ３０が接続されている。コンデンサ３０の一方の端子は、ダイオード３１のアノードに接続され、ダイオード３１のカソードとコンデンサ３０の他方の端子は、外部制御信号Ｃｏｎｔ−ｓｉｇを受ける調光入力端子Ｄｉｍに接続されている。外部制御信号Ｃｏｎｔ−ｓｉｇは、ＤＣ電圧または可変抵抗である。調光装置２９には、また、調光入力端子Ｄｉｍに流す定電流の電流値を設定することができる定電流値設定抵抗３２の一方の端子に接続され、定電流値設定抵抗３２の他方の端子は、グランドに接続されている。調光装置２９の出力は、フィードバック回路２３に接続されている。
【００２７】
スイッチング素子１９のゲートは、電源制御ＩＣ（電源制御回路）３３の出力に接続されている。電源制御ＩＣ３３は、トランス１８の一次側の補助巻線１８ｄと、ダイオード３４、抵抗３５およびコンデンサ３６による整流平滑回路とによる電源回路によって給電される。
【００２８】
電源制御ＩＣ３３は、スイッチング素子１９のソースと電流検出抵抗２０との接続点に接続され、内蔵する過電流保護機能が電流検出抵抗２０の両端に現れる電圧をモニタする。過電流保護機能は、スイッチング素子１９に所定値以上の過電流が流れたことに相当する電圧を検出したとき、スイッチング素子１９によるスイッチング動作を停止してスイッチング素子１９を過電流による破壊から保護する。
【００２９】
電源制御ＩＣ３３は、また、フォトカプラによってフィードバック回路２３と接続されている。すなわち、フィードバック回路２３には、発光ダイオード３７ａが設けられ、電源制御ＩＣ３３には、フォトトランジスタ３７ｂが設けられている。発光ダイオード３７ａとフォトトランジスタ３７ｂはフォトカプラを構成している。これにより、フィードバック回路２３は、負荷２５に供給する出力電圧および出力電流を検出して電源制御ＩＣ３３にフィードバックすることができる。電源制御ＩＣ３３は、フィードバック回路からフィードバックされた信号に基づいて、出力電圧または出力電流が外部制御信号Ｃｏｎｔ−ｓｉｇによって指示された値になるようスイッチング素子１９をスイッチング制御する。
【００３０】
次に、図２ないし図６を参照して電力変換装置のフィードバック回路２３および調光装置２９の具体的な構成例について説明する。
フィードバック回路２３は、オペアンプ４１，４２を有している。オペアンプ４１の反転入力端子は、抵抗４３，４４による分圧回路の出力端子に接続されている。抵抗４３の一方の端子は、直流出力端子２４の正極端子に接続されたライン２４ａに接続され、抵抗４３の他方の端子は、オペアンプ４１の反転入力端子および抵抗４４の一方の端子に接続されている。抵抗４４の他方の端子は、直流出力端子２４の負極端子に接続されたライン２４ｂに接続されている。これにより、オペアンプ４１の反転入力端子には、出力電圧Ｖｏに比例した電圧が印加されている。
【００３１】
一方、オペアンプ４１の非反転入力端子は、抵抗４６，４７による固定の基準電圧源に接続されている。抵抗４６の一方の端子は、電圧Ｖｒｅｆ１のラインに接続され、抵抗４６の他方の端子は、オペアンプ４１の非反転入力端子および抵抗４７の一方の端子に接続され、抵抗４７の他方の端子は、ライン２４ｂに接続されている。
【００３２】
オペアンプ４１の出力端子は、ダイオード４９のカソードに接続されている。ここで、オペアンプ４１、抵抗４３，４４，４６，４７およびダイオード４９は、所望の出力電圧と実際の出力電圧Ｖｏとの誤差を検出する電圧エラーアンプを構成している。
【００３３】
オペアンプ４２の非反転入力端子は、フォトカプラ４５のフォトトランジスタ４５ｂ、抵抗５０，５１，５５、電流検出抵抗５２およびコンデンサ５６による可変の基準電圧源が接続されている。フォトカプラ４５のフォトトランジスタ４５ｂのコレクタは、電圧Ｖｒｅｆ２のラインに接続され、フォトトランジスタ４５ｂのエミッタは、抵抗５５の一方の端子に接続されている。抵抗５５の他方の端子は、この抵抗５５とローパスフィルタを構成するコンデンサ５６の一方の端子に接続され、コンデンサ５６の他方の端子は、整流平滑回路のコンデンサ２２の負極端子に接続されたライン２４ｃに接続されている。抵抗５５とコンデンサ５６との接続点は、抵抗５０の一方の端子に接続され、抵抗５０の他方の端子は、オペアンプ４２の非反転入力端子および抵抗５１の一方の端子に接続されている。抵抗５１の他方の端子は、ライン２４ｃに接続されている。抵抗５１の他方の端子は、また、電流検出抵抗５２の一方の端子に接続され、電流検出抵抗５２の他方の端子は、オペアンプ４２の反転入力端子およびライン２４ｂに接続されている。
【００３４】
オペアンプ４２の出力端子は、ダイオード５３のカソードに接続されている。ここで、オペアンプ４２、フォトカプラ４５のフォトトランジスタ４５ｂ、抵抗５０，５１，５５、電流検出抵抗５２、コンデンサ５６およびダイオード５３は、所望の出力電流と実際の出力電流Ｉｏとの誤差を検出する電流エラーアンプを構成している。
【００３５】
電圧エラーアンプのダイオード４９のアノードおよび電流エラーアンプのダイオード５３のアノードは、電源制御ＩＣ３３にエラー信号をフィードバックするフォトカプラの発光ダイオード３７ａのカソードに接続されている。発光ダイオード３７ａのアノードは、抵抗５４の一方の端子に接続され、抵抗５４の他方の端子は、直流出力端子２４の正極端子のライン２４ａに接続されている。
【００３６】
このフィードバック回路２３によれば、オペアンプ４１は、出力電圧Ｖｏを分圧した電圧と基準電圧源の電圧Ｖｒｅｆ１を分圧した電圧とを比較し、比較電圧の誤差を表す信号を出力する。ここで、出力電圧Ｖｏを分圧した電圧が基準電圧源の電圧Ｖｒｅｆ１を分圧した電圧より低いとき、オペアンプ４１は、プラスの誤差信号を出力する。このとき、発光ダイオード３７ａのカソードの電位が上がるため、発光ダイオード３７ａに流れる電流が低下し、その電流情報が電源制御ＩＣ３３にフィードバックされる。この場合、電源制御ＩＣ３３は、出力電圧Ｖｏが高くなる方向にスイッチング素子１９をスイッチング制御する。
【００３７】
逆に、出力電圧Ｖｏを分圧した電圧が基準電圧源の電圧Ｖｒｅｆ１を分圧した電圧より高いとき、オペアンプ４１は、マイナスの誤差信号を出力する。このとき、発光ダイオード３７ａのカソードの電位が下がるため、発光ダイオード３７ａに流れる電流が増加し、その電流情報が電源制御ＩＣ３３にフィードバックされる。この場合、電源制御ＩＣ３３は、出力電圧Ｖｏが低くなる方向にスイッチング素子１９をスイッチング制御する。
【００３８】
電流エラーアンプの動作については、整流平滑回路のコンデンサ２２の負極端子に接続されたライン２４ｃの電位を基準として考えると分かり易い。オペアンプ４２は、出力電流Ｉｏによる電流検出抵抗５２の電圧降下と可変の基準電圧源の電圧とを比較し、比較電圧の誤差を表す信号を出力する。このとき、可変の基準電圧源の電圧は、調光装置２９から出力される出力信号ＰＷＭ−ｓｉｇに応じた値を有する設定信号に設定されている。フォトカプラ４５の発光ダイオード４５ａが受けた出力信号ＰＷＭ−ｓｉｇは、ＰＷＭ信号であり、フォトトランジスタ４５ｂがこのＰＷＭ信号に従ってオン・オフするので、フォトトランジスタ４５ｂが抵抗５５に供給する電圧もＰＷＭの波形となる。このＰＷＭ波形は、抵抗５５およびコンデンサ５６によるローパスフィルタによって平均化され、その平均化された電圧が抵抗５０，５１による分圧回路にて分圧され、オペアンプ４２の非反転入力端子に、設定された基準電圧源の電圧として入力される。出力電流Ｉｏによる電流検出抵抗５２の電圧降下は、オペアンプ４２の反転入力端子に入力され、基準電圧源の電圧と比較される。
【００３９】
電流検出抵抗５２の電圧降下が可変の基準電圧源の電圧より低いとき、オペアンプ４２は、プラスの誤差信号を出力する。このとき、発光ダイオード３７ａのカソードの電位が上がるため、発光ダイオード３７ａに流れる電流が低下し、その電流情報が電源制御ＩＣ３３にフィードバックされる。この場合、電源制御ＩＣ３３は、出力電流Ｉｏが増える方向にスイッチング素子１９をスイッチング制御する。
【００４０】
逆に、電流検出抵抗５２の電圧降下が可変の基準電圧源の電圧より高いとき、オペアンプ４２は、マイナスの誤差信号を出力する。このとき、発光ダイオード３７ａのカソードの電位が下がるため、発光ダイオード３７ａに流れる電流が増加し、その電流情報が電源制御ＩＣ３３にフィードバックされる。この場合、電源制御ＩＣ３３は、出力電流Ｉｏが減る方向にスイッチング素子１９をスイッチング制御する。
【００４１】
ここで、可変の基準電圧源の電圧は、調光装置２９によって設定された値であるので、結局、出力電流Ｉｏは、調光装置２９によって設定された値になるように調整されることになる。
【００４２】
なお、オペアンプ４１の出力にあるダイオード４９およびオペアンプ４２の出力にあるダイオード５３は、ワイヤードオア接続されている。また、オペアンプ４１による電圧エラーアンプは、定常状態の出力が電流エラーアンプの出力より高くなるよう構成されている。このため、通常状態では、電流エラーアンプを構成するオペアンプ４２の出力が優先して、発光ダイオード３７ａに流れる電流の値を変化させることになる。
【００４３】
調光装置２９は、基準電圧回路６１と、バイアス電流回路６２と、制御電流回路６３と、ＡＤコンバータ６４と、出力信号作成回路６５と、定電流源６６，６７と、スイッチ６８とを備えている。
【００４４】
調光装置２９の入力は、ダイオード３１のアノードに接続され、ダイオード３１のカソードは、調光入力端子Ｄｉｍに接続される。ダイオード３１は、調光入力端子Ｄｉｍから調光装置２９に予期せぬ電流が流れ込むのを防止するためのものである。これは、外部制御信号Ｃｏｎｔ−ｓｉｇが調光装置２９の電源とは別電源の装置で生成されることがあり、その場合、調光装置２９の電源電圧ＶＣＣより高くなることがあるためである。また、調光装置２９の入力に接続されたコンデンサ３０は、外来ノイズをカットするためのものである。
【００４５】
基準電圧回路６１は、図３に示したように、ツェナーダイオード７１と、オペアンプ７２と、抵抗７３，７４，７５とを有している。ツェナーダイオード７１のカソードは、抵抗７３の一方の端子に接続され、抵抗７３の他方の端子は、調光装置２９の電源電圧ＶＣＣのラインに接続され、ツェナーダイオード７１のアノードは、グランドに接続されている。抵抗７３とツェナーダイオード７１との接続点は、オペアンプ７２の非反転入力端子に接続され、オペアンプ７２の反転入力端子は、オペアンプ７２の出力端子に接続されている。オペアンプ７２の出力端子は、抵抗７４の一方の端子に接続され、抵抗７４の他方の端子は、抵抗７５の一方の端子およびこの基準電圧回路６１の出力端子Ｖｒｅｆに接続され、抵抗７５の他方の端子は、グランドに接続されている。なお、この実施の形態では、ツェナーダイオード７１を１個で示したが、必要に応じて複数のツェナーダイオードを直列に接続した構成にすることができる。また、オペアンプ７２の出力端子に接続された抵抗７４，７５による分圧回路は、出力したい基準電圧Ｖｒｅｆがツェナーダイオード７１のツェナー電圧に等しい場合は、必要ない。
【００４６】
このように、基準電圧回路６１は、調光装置２９の電源電圧ＶＣＣがツェナーダイオード７１のツェナー電圧より高いと、調光装置２９の電源電圧ＶＣＣからツェナーダイオード７１を用いて一定の電圧（すなわちツェナーダイオード７１のツェナー電圧）を生成し、その一定の電圧をオペアンプ７２によるボルテージフォロア回路でツェナーダイオード７１の回路から分離する。ボルテージフォロア回路が出力する一定の電圧は、抵抗７４，７５による分圧回路にて分圧され、所望の値の基準電圧Ｖｒｅｆにされる。この基準電圧Ｖｒｅｆは、バイアス電流回路６２およびＡＤコンバータ６４に基準電圧として供給される。
【００４７】
この基準電圧回路６１は、また、調光装置２９の電源電圧ＶＣＣがツェナーダイオード７１のツェナー電圧を下回った場合には、その電源電圧ＶＣＣに比例した可変の電圧を基準電圧Ｖｒｅｆとして出力する。一例として、抵抗７４，７５による分圧回路がなく、ツェナーダイオード７１のツェナー電圧が１０．５Ｖのとき、この基準電圧回路６１は、調光装置２９の電源電圧ＶＣＣが１０．５ボルト（Ｖ）以上のとき、１０．５Ｖの基準電圧Ｖｒｅｆを出力し、電源電圧ＶＣＣが１０．５Ｖを下回ったとき、電源電圧ＶＣＣに比例した基準電圧Ｖｒｅｆを出力する。
【００４８】
バイアス電流回路６２は、図４に示したように、オペアンプ７６と、ＭＯＳトランジスタ７７と、抵抗７８と、ＭＯＳトランジスタ７９，８０とを備えている。
オペアンプ７６において、その非反転入力端子に基準電圧回路６１から出力される基準電圧Ｖｒｅｆが印加され、出力端子は、ＭＯＳトランジスタ７７のゲートに接続されている。ＭＯＳトランジスタ７７のソースは、オペアンプ７６の反転入力端子および抵抗７８の一方の端子に接続され、抵抗７８の他方の端子は、グランドに接続されている。このオペアンプ７６、ＭＯＳトランジスタ７７および抵抗７８は、基準電圧Ｖｒｅｆを電流に変換するトランスコンダクタンスアンプを構成している。
【００４９】
ＭＯＳトランジスタ７７のドレインは、ＭＯＳトランジスタ７９のドレインおよびゲートに接続され、ＭＯＳトランジスタ７９のソースは、調光装置２９の電源電圧ＶＣＣのラインに接続されている。ＭＯＳトランジスタ７９のドレインおよびゲートは、また、ＭＯＳトランジスタ８０のゲートに接続され、ＭＯＳトランジスタ８０のソースは、調光装置２９の電源電圧ＶＣＣのラインに接続されている。これにより、このＭＯＳトランジスタ７９，８０は、カレントミラー回路を構成している。そして、ＭＯＳトランジスタ８０のドレインは、このバイアス電流回路６２の出力端子を構成している。
【００５０】
ここで、このバイアス電流回路６２は、トランスコンダクタンスアンプで基準電圧Ｖｒｅｆを電流に変換し、変換した電流をカレントミラー回路で比例倍したバイアス電流Ｉｒｓを出力する。
【００５１】
すなわち、オペアンプ７６の非反転入力端子および反転入力端子が仮想短絡状態にあるので、オペアンプ７６の非反転入力端子に基準電圧Ｖｒｅｆが印加されていると、オペアンプ７６の反転入力端子の電位も基準電圧Ｖｒｅｆとなる。これにより、抵抗７８の一方の端子に基準電圧Ｖｒｅｆが印加されていることになるので、ＭＯＳトランジスタ７７および抵抗７８には、抵抗７８の抵抗値と基準電圧Ｖｒｅｆとによって決まる一定の電流が流れることになる。この一定の電流は、カレントミラー回路によって比例倍され、その比例倍されたバイアス電流Ｉｒｓがバイアス電流回路６２の出力端子から出力される。このバイアス電流回路６２の出力端子は、調光装置２９の制御電流回路６３および抵抗接続端子Ｒｓに接続されている。
【００５２】
抵抗接続端子Ｒｓには、図２に示したように、定電流値設定抵抗３２が接続されている。この定電流値設定抵抗３２にバイアス電流Ｉｒｓを流すことによって定電流値設定抵抗３２の両端に電圧Ｖｒｓが生起され、この電圧Ｖｒｓが制御電流回路６３に入力される。なお、この定電流値設定抵抗３２は、調光入力端子Ｄｉｍに可変抵抗が接続されたときに、その可変抵抗に流す制御電流Ｉｃｏｎｔを可変抵抗の抵抗値に応じて可変できるようにするためのものである。
【００５３】
制御電流回路６３は、図４に示したバイアス電流回路６２の構成と同じ構成を有している。すなわち、制御電流回路６３は、トランスコンダクタンスアンプを構成するオペアンプ８１、ＭＯＳトランジスタ８２および抵抗８３と、カレントミラー回路を構成するＭＯＳトランジスタ８４，８５とを備えている。
【００５４】
オペアンプ８１の非反転入力端子には、定電流値設定抵抗３２によって生成された電圧Ｖｒｓが印加され、出力端子は、ＭＯＳトランジスタ８２のゲートに接続されている。ＭＯＳトランジスタ８２のソースは、オペアンプ８１の反転入力端子および抵抗８３の一方の端子に接続され、抵抗８３の他方の端子は、グランドに接続されている。
【００５５】
ＭＯＳトランジスタ８２のドレインは、ＭＯＳトランジスタ８４のドレインおよびゲートに接続され、ＭＯＳトランジスタ８４のソースは、調光装置２９の電源電圧ＶＣＣのラインに接続されている。ＭＯＳトランジスタ８４のドレインおよびゲートは、また、ＭＯＳトランジスタ８５のゲートに接続され、ＭＯＳトランジスタ８５のソースは、調光装置２９の電源電圧ＶＣＣのラインに接続されている。ＭＯＳトランジスタ８５のドレインは、調光装置２９の制御端子Ｃｏｎｔに接続されている。
【００５６】
これにより、この制御電流回路６３は、トランスコンダクタンスアンプで電圧Ｖｒｓを電流に変換し、変換した電流をカレントミラー回路で比例倍した出力電流Ｉｃｏｎｔ１を出力する。
【００５７】
この制御電流回路６３が出力する出力電流Ｉｃｏｎｔ１は、定電流源６６が出力する出力電流Ｉｃｏｎｔ０と加算され、制御電流Ｉｃｏｎｔとなって、調光装置２９の制御端子Ｃｏｎｔに供給される。なお、定電流源６６の出力電流Ｉｃｏｎｔ０は、調光入力端子Ｄｉｍに可変抵抗が接続された場合に、定電流値設定抵抗３２の抵抗値がゼロ（抵抗接続端子Ｒｓをグランドに接続）で出力電流Ｉｃｏｎｔ１がゼロとなった場合でも、制御端子Ｃｏｎｔから電流を出力して制御電圧Ｖｃｏｎｔを生成するためのものである。
【００５８】
ＡＤコンバータ６４は、図５に示したように、ＤＣ電圧の印加または可変抵抗の電圧降下によるアナログの外部制御信号Ｃｏｎｔ−ｓｉｇにより生成される電圧Ｖｃｏｎｔと基準電圧Ｖｒｅｆとを入力し、基準電圧Ｖｒｅｆに対する電圧Ｖｃｏｎｔ（またはその分圧）の比率をデジタル信号に変換する。このＡＤコンバータ６４の分解能は、（ｍ＋１）ビットにしてあり、したがって、ＡＤコンバータ６４は、電圧Ｖｃｏｎｔを（ｍ＋１）ビットで表したデジタル信号ＡＤ−ｄａｔａ−０〜ＡＤ−ｄａｔａ−ｍを出力する。
【００５９】
出力信号作成回路６５は、図６に示したように、（ｍ＋１）ビットのカウンタ９１と、データ一致回路９２と、ＲＳフリップフロップ９３とを有している。この出力信号作成回路６５は、ＡＤコンバータ６４が検出したＤＣ電圧または可変抵抗の調整比率（可変抵抗の最大抵抗値に対する、実際に適用された可変抵抗の抵抗値の比率）と同じデューティ比を有する出力信号ＰＷＭ−ｓｉｇを作成する。ただし、この出力信号ＰＷＭ−ｓｉｇの周波数（第１の周波数）は、フィードバック回路２３において、抵抗５５およびコンデンサ５６で構成されるローパスフィルタに応じた周波数（図示の例では、１ｋＨｚ）にしている。
【００６０】
カウンタ９１は、（ｍ＋１）個のＤフリップフロップを有し、それぞれのＤフリップフロップのデータ入力端子には、自身のＸＱ出力が接続されている。また、２段目以降のそれぞれのＤフリップフロップのクロック端子（負論理）には、前段のＤフリップフロップのＱ出力が接続されている。このカウンタ９１においては、２＾（ｍ＋１）ｋＨｚの周波数（第２の周波数）のクロック信号が入力され、１ｋＨｚのリセット信号が入力されている。
【００６１】
データ一致回路９２は、ＡＤコンバータ６４によって出力されたデジタル信号ＡＤ−ｄａｔａ−０〜ＡＤ−ｄａｔａ−ｍとカウンタ９１のそれぞれのＤフリップフロップの出力信号とを比較し、全ビットの両者が同じであるときだけＨレベルの一致信号を出力する。このデータ一致回路９２は、ここでは、各ビットの比較に排他的ノア回路ＸＮＯＲ０〜ＸＮＯＲｍを用い、すべての排他的ノア回路ＸＮＯＲ０〜ＸＮＯＲｍの出力がＨレベルになっているか（すべての排他的ノア回路ＸＮＯＲ０〜ＸＮＯＲｍの入力が一致しているか）どうかの判断にアンド回路ＡＮＤを用いている。
【００６２】
ＲＳフリップフロップ９３は、そのセット入力にカウンタ９１のリセット信号である１ｋＨｚのパルス信号が入力され、リセット入力には、データ一致回路９２の出力信号が入力される。したがって、ＲＳフリップフロップ９３は、１ｋＨｚのパルス信号が入力されるたびにＨレベルの信号を出力し、そのＨレベルは、カウンタ９１のカウント値が読み込まれたデューティ比のデータに一致するまで継続する。これにより、出力信号作成回路６５は、外部制御信号Ｃｏｎｔ−ｓｉｇが指示する可変抵抗の調整比率に相当するデューティ比の信号を出力する。たとえば、可変抵抗が１００％の調光を設定したとき、出力信号作成回路６５は、デューティ比が１００％のパルス信号を出力し、可変抵抗が８０％の調光を設定したとき、出力信号作成回路６５は、デューティ比が８０％のパルス信号を出力する。
【００６３】
図２に戻って、調光装置２９は、さらに、定電流Ｉｏｕｔを出力する定電流源６７を有している。この定電流源６７の出力は、スイッチ６８を介してフィードバック回路２３のフォトカプラ４５に接続されている。スイッチ６８は、出力信号作成回路６５が出力する信号によってオン・オフ制御される。このため、調光装置２９は、定電流Ｉｏｕｔをスイッチ６８によってパルス幅変調した出力信号ＰＷＭ−ｓｉｇ、すなわち、可変抵抗の調整比率を表す電流信号を出力する。フィードバック回路２３においては、この電流信号により電流エラーアンプが出力電流Ｉｏに相当する電圧と比較する可変の基準電圧源の基準電圧が調整され、出力電流Ｉｏの目標出力電流値が可変抵抗の調整比率に相当する値に設定される。
【００６４】
次に、以上の構成の調光装置２９の動作について説明する。なお、外部制御信号Ｃｏｎｔ−ｓｉｇとして調光入力端子Ｄｉｍに可変のＤＣ電圧を印加する場合については、何ら問題はないので、ここでは、可変抵抗を接続して調光を行う場合について説明する。
【００６５】
まず、調光入力端子Ｄｉｍに接続される可変抵抗がその最大抵抗値によって負荷２５のＬＥＤ照明器具の調光範囲が変化してしまうことに対しては、制御電流Ｉｃｏｎｔを可変抵抗の抵抗値に応じて調整可能にしている。これは、調光装置２９に定電流値設定抵抗３２を外付けし、その定電流値設定抵抗３２の抵抗値を可変抵抗の最大抵抗値に応じて任意に調整できるようにすることで達成している。この構成により、最大抵抗値が大きい場合は制御電流Ｉｃｏｎｔの値を小さくし、最大抵抗値が小さい場合は制御電流Ｉｃｏｎｔの値を大きくすることにより、どのような可変抵抗の最大抵抗値によっても、発生する電圧Ｖｃｏｎｔの最大値がＡＤコンバータ６４の許容最大入力電圧近くにすることができる。
【００６６】
すなわち、調光装置２９の電源電圧ＶＣＣが基準電圧回路６１のツェナーダイオード７１のツェナー電圧より高いとき、バイアス電流回路６２が一定のバイアス電流Ｉｒｓを出力する。このため、定電流値設定抵抗３２の抵抗値を変更すると、電圧Ｖｒｓの値が変更されることで制御電流回路６３が出力する出力電流Ｉｃｏｎｔ１が変更され、図７（Ａ）に示したように、制御電流Ｉｃｏｎｔおよび制御電圧Ｖｃｏｎｔがある範囲で変更される。この結果、可変抵抗の値が小さくて可変抵抗の値を最大にしてもＬＥＤ照明器具の明るさを１００％にできなかったり、可変抵抗の値が大きくて可変抵抗の値を最大にする前にＬＥＤ照明器具の明るさが１００％に達してしまったりすることがなくなる。
【００６７】
次に、調光装置２９の電源電圧ＶＣＣが基準電圧回路６１のツェナーダイオード７１のツェナー電圧より低くなると、ツェナー電圧が１０．５Ｖの場合の例である図７（Ｂ）に示したように、基準電圧回路６１は、電源電圧ＶＣＣの低下に従って低下する基準電圧Ｖｒｅｆを出力する。基準電圧Ｖｒｅｆが低下すると、図７（Ａ）に示したように、制御電流Ｉｃｏｎｔおよび制御電圧Ｖｃｏｎｔも低下していく。このとき、ＡＤコンバータ６４には、それぞれ同じ比率で低下した基準電圧Ｖｒｅｆおよび制御電圧Ｖｃｏｎｔが入力されるので、電源電圧ＶＣＣの変化に関係なく、ＡＤコンバータ６４は、可変抵抗の可変値をそのまま反映したデジタル信号を出力する。基準電圧Ｖｒｅｆおよび制御電流Ｉｃｏｎｔ（制御電圧Ｖｃｏｎｔ）のこのような関係は、電源電圧ＶＣＣが極端に低下するある値まで変化しないので、図７（Ｃ）に示したように、制御電流Ｉｃｏｎｔの電源電圧依存性がなく、出力信号作成回路６５が出力する信号のデューティ比を一定に保つ範囲が広い。
【００６８】
以上、本発明をその好適な実施の形態について説明したが、本発明は、この特定の実施の形態に限定されるものではない。たとえば、上述の電力変換装置は、ＬＥＤ照明器具の明るさを調整するものとして説明したが、白熱灯照明器具の明るさを調整する装置にも同じように適用することができる。この場合、白熱灯照明器具の明るさ調整は、電圧制御であるので、フィードバック回路２３で行われる出力信号ＰＷＭ−ｓｉｇによる基準電圧の設定は、電圧エラーアンプの側で行われるよう、電流エラーアンプおよび電圧エラーアンプが構成される。
【符号の説明】
【００６９】
１１  交流入力端子
１２  チョークコイル
１３  Ｘコンデンサ
１４  チョークコイル
１５  ダイオードブリッジ
１６  力率改善回路
１７  コンデンサ
１８  トランス
１８ａ  一次巻線
１８ｂ  二次巻線
１８ｃ，１８ｄ  補助巻線
１９  スイッチング素子
２０  電流検出抵抗
２１  ダイオード
２２  コンデンサ
２３  フィードバック回路
２４  直流出力端子
２４ａ，２４ｂ，２４ｃ  ライン
２５  負荷
２６  ダイオード
２７  抵抗
２８  コンデンサ
２９  調光装置
３０  コンデンサ
３１  ダイオード
３２  定電流値設定抵抗
３３  電源制御ＩＣ
３４  ダイオード
３５  抵抗
３６  コンデンサ
３７ａ  発光ダイオード
３７ｂ  フォトトランジスタ
４１，４２  オペアンプ
４３，４４  抵抗
４５  フォトカプラ
４５ａ  発光ダイオード
４５ｂ  フォトトランジスタ
４６，４７  抵抗
４９  ダイオード
５０，５１  抵抗
５２  電流検出抵抗
５３  ダイオード
５４，５５  抵抗
５６  コンデンサ
６１  基準電圧回路
６２  バイアス電流回路
６３  制御電流回路
６４  ＡＤコンバータ
６５  出力信号作成回路
６６，６７  定電流源
６８  スイッチ
７１  ツェナーダイオード
７２  オペアンプ
７３，７４，７５  抵抗
７６  オペアンプ
７７  ＭＯＳトランジスタ
７８  抵抗
７９，８０  ＭＯＳトランジスタ
８１  オペアンプ
８２  ＭＯＳトランジスタ
８３  抵抗
８４，８５  ＭＯＳトランジスタ
９１  カウンタ
９２  データ一致回路
９３  ＲＳフリップフロップ
ＡＮＤ  アンド回路
Ｃｏｎｔ  制御端子
Ｄｉｍ  調光入力端子
Ｒｓ  抵抗接続端子
Ｖｒｅｆ  出力端子
ＸＮＯＲ０〜ＸＮＯＲｍ  排他的ノア回路
【図１】
2019033028.tif 000003
【図２】
2019033028.tif 000004
【図３】
2019033028.tif 000005
【図４】
2019033028.tif 000006
【図５】
2019033028.tif 000007
【図６】
2019033028.tif 000008
【図７】
2019033028.tif 000009
【図８】
2019033028.tif 000010
【図９】
2019033028.tif 000011